(57)【要約】【課題】  プルリングを小型化しても、指をプルリングに引掛け易くした抜栓式キャップを提供すること。【解決手段】  容器本体に装着されるキャップにおいて、キャップは、注出筒と、注出筒内周に連設される底壁を具え、底壁には、注出口を開口する除去部が設けられており、除去部の上面の所定の位置には、開口時に除去部を引上げる支柱が立設され、支柱には、ブルリングが連設されており、プルリングの支柱の反対側は、楕円弧状に形成され、指掛け部となっていることを特徴とする。【選択図】  図１
2010105732.tif 000002
【特許請求の範囲】
【請求項１】
容器本体に装着されるキャップにおいて、
キャップは、注出筒と、注出筒内周に連設される底壁を具え、
底壁には、注出口を開口する除去部が設けられており、
除去部の上面の所定の位置には、開口時に除去部を引上げる支柱が立設され、支柱には、ブルリングが連設されており、
プルリングの支柱の反対側は、楕円弧状に形成され、指掛け部となっていることを特徴とする抜栓式キャップ。
【請求項２】
プルリングが、支柱の上端部から底壁の中央線側に向かって円弧状に広がる支柱両側の連結部と、両方の連結部の端部から延びる湾曲部と、両方の湾曲部の端部を連結する半楕円弧部とから形成されていることを特徴とする請求項１記載の抜栓式キャップ。
【請求項３】
プルリングが、支柱の上部がＶ字状となっており、その両端部に接続され上方に傾斜して延びるとともに円弧状に広がる連結部と、連結部の端部から延びる湾曲部と、両方の湾曲部の端部を連結する半楕円弧部とから形成されていることを特徴とする請求項１記載の抜栓式キャップ。
【請求項４】
キャップが、キャップ本体とヒンジを介して連設された蓋体とからなるヒンジキャップであって、
プルリングの支柱が、除去部のヒンジ側に立設されており、
蓋体は、頂壁と、頂壁下面に垂設され、注出筒の内周に嵌挿されるインナーリングを具えており、
プルリングの指掛け部が、注出筒内周から離れるように形成されていることを特徴とする請求項１〜３のいずれかに記載の抜栓式キャップ。
【発明の詳細な説明】
【技術分野】
【０００１】
本発明は、抜栓式キャップ、特に小型の抜栓式キャップに関するものである。
【背景技術】
【０００２】
容器の口筒部に打栓される抜栓式キャップにおいて、キャップの注出筒の内周に底壁を具え、底壁には、注出口を開口する除去部と、除去部の上面に立設された支柱と、支柱の上端部に連設されたプルリングを設け、プルリングに指を掛け、上方に引張ることにより除去部を抜栓し、底壁に注出口を開口させる抜栓式キャップは、従来より知られている（例えば、特許文献１、２参照）。
【特許文献１】特開２００６−６２６９０２号公報
【特許文献２】特開２００２−１９８１５号公報
【発明の開示】
【発明が解決しようとする課題】
【０００３】
しかしながら、上記各特許文献記載の従来の抜栓式キャップでは、プルリングがほぼ円形の環状に形成されているので、小型の容器に使用するためにキャップ自体を小型化した場合、プルリングの径が小さく形成され、指を掛ける際に、指の接触部が少なくなり、指がプルリングに引掛けづらくなるという問題があった。
【０００４】
本発明は、上記問題を解決することを課題とし、プルリングを小型化しても、指をプルリングに引掛け易くした抜栓式キャップを提供することを目的とする。
【課題を解決するための手段】
【０００５】
本発明は、上記の課題を解決するため、抜栓式キャップとして、容器本体に装着されるキャップにおいて、キャップは、注出筒と、注出筒内周に連設される底壁を具え、底壁には、注出口を開口する除去部が設けられており、除去部の上面の所定の位置には、開口時に除去部を引上げる支柱が立設され、支柱には、ブルリングが連設されており、プルリングの支柱の反対側は、楕円弧状に形成され、指掛け部となっていることを特徴とする構成を採用する。
【０００６】
プルリングの実施例として、プルリングが、支柱の上端部から底壁の中央線側に向かって円弧状に広がる支柱両側の連結部と、両方の連結部の端部から延びる湾曲部と、両方の湾曲部の端部を連結する半楕円弧部とから形成されていることを特徴とする構成、或いは、プルリングが、支柱の上部がＶ字状となっており、その両端部に接続され上方に傾斜して延びるとともに円弧状に広がる連結部と、連結部の端部から延びる湾曲部と、両方の湾曲部の端部を連結する半楕円弧部とから形成されていることを特徴とする構成を採用する。
【０００７】
ヒンジキャップを採用した実施例として、キャップが、キャップ本体とヒンジを介して連設された蓋体とからなるヒンジキャップであって、プルリングの支柱が、除去部のヒンジ側に立設されており、蓋体は、頂壁と、頂壁下面に垂設され、注出筒の内周に嵌挿されるインナーリングを具えており、プルリングの指掛け部が、注出筒内周から離れるように形成されていることを特徴とする構成を採用する。
【発明の効果】
【０００８】
注出筒と、注出筒内周に連設される底壁を具え、底壁には、注出口を開口する除去部と、除去部の上面に立設された支柱と、支柱の上端部に連設されたプルリングを具えた抜栓式キャップにおいて、プルリングの支柱の反対側が、楕円弧状に形成され、指掛け部となっているので、プルリングに指を掛ける際に、指を引掛け易くすることができる。
【０００９】
また、キャップ本体の上部にヒンジを介して蓋体が連設されたヒンジキャップとした場合、プルリングのヒンジの反対側部位が、注出筒内周から離れるように形成されているので、インナーリングの廻動軌跡に対して、非接触位置にすることができるようになった。
【発明を実施するための最良の形態】
【００１０】
次に、本発明の抜栓式キャップについて、図面を参照して説明する。
図１において、Ａは容器の口筒部に打栓されるキャップ本体、Ｂはキャップ本体ＡにヒンジＣを介して一体成形された蓋体であり、全体的に小型に形成されている。
【００１１】
キャップ本体Ａは、底壁１と、底壁１の周縁に立設される注出筒２と、注出筒２外周に連設される上壁３と、上壁３の上面に立設される蓋係合筒４と、上壁３の周縁に垂設され、内周が容器の口筒部に装着される外筒５とからなっている。
外筒５の外周上部の所定の位置には、ヒンジＣが連設されている。
【００１２】
底壁１には、薄肉の弱化部６により注出口を開口する除去部７が設けられており、除去部７の上面のヒンジＣ側には、開口時に除去部７を引上げる支柱８が立設され、支柱８の上端部には、プルリング９が連設されている。
【００１３】
プルリング９の全体の形状は、従来からある円形のプルリングの支柱８の反対側を、楕円弧状として扁平になるようにしたものである。
図２に示すように、プルリング９は、支柱８の上端部から底壁１の中央線（図２のａ−ａ線）側に向かって円弧状に広がる連結部１０と、連結部１０の端部から延びる弧状の湾曲部１１と、湾曲部１１の端部を連結し、中央線の方向を長径の方向とする半楕円弧部１２とからなり、湾曲部１１と半楕円弧部１２が、図３（ａ）に示すように、指の周面Ｆと接触し、半楕円弧部１２を中心に、指掛け部１３が形成されている。
湾曲面１１の曲率半径は、連結部１０の円弧の半径より小さく、半楕円弧部の曲率半径は、連結部１０の半径より大きくなっている。
【００１４】
また、プルリング９は、支柱８から底壁１の中央線までの距離ｂに対し、中央線から指掛け部１３の中央までの距離ｃを短くし、注出筒２内周から指掛け部１３の距離ｄをプルリング９の他の部分よりも広くなるように形成されている。
【００１５】
蓋体Ｂは、頂壁１５と、頂壁１５外縁に垂設される外周壁１６と、頂壁１５の下面に垂設され、キャップ本体Ａの注出筒２内周に嵌挿されるインナーリング１７とからなっている。
外周壁１６の内周下端には、キャップ本体Ａの蓋係合筒４外周と係合し閉蓋する係合部１８が設けられており、外周下端の所定の位置には、ヒンジＣが連設されている。
【００１６】
次に、本発明の抜栓式キャップの作用効果について説明する。
本発明の抜栓式キャップは、プルリング９が円弧状に広がる連結部と、湾曲部、半楕円弧部とから形成されているので、底壁１の除去部７を抜栓するため、プルリング９に指を掛ける際に、図３（ａ）に示すように、半楕円弧部１２を中心に形成される指掛け部１３が、指の接触部となり、従来のプルリングに比べ、指を引掛け易くなっている。
【００１７】
また、キャップ本体Ａのプルリング９の指掛け部１３が、注出筒２内周から距離ｄを離して形成されているので、蓋体Ｂの閉蓋の際に、図３（ｂ）に示すように、指掛け部１３の上部が、蓋体Ｂのインナーリング１７のヒンジＣの反対側の端部の廻動軌跡に干渉しないので、プルリング９が、インナーリング１７によって下方に押込まれることを防止することができる。
【００１８】
次に、支柱とプルリングとの連結部の構成を変更したプルリングの別実施例について説明する。
図４において、８ａは支柱、９ａはプルリングである。
支柱８ａの上部はＶ字状の分岐部となっており、その端部から上方に傾斜して延びるとともに円弧状に広がる連結部１０ａが接続されている。
連結部１０ａの端部から延びる湾曲部１１ａと、湾曲部１１ａの端部を連結する半楕円弧部１２ａが接続され、プルリング９ａが形成されている。
【００１９】
本実施例のプルリングは、支柱８ａの上部分岐部が低位置にあるので、閉蓋時にインナーリング１７のヒンジＣ側の端部に干渉しない。
したがって、プルリング９ａが、インナーリング１７によって下方に押込まれることを防止することができる。
その他には、前記実施形態と同様の作用効果を得ることができる。
【００２０】
前記実施形態では、プルリングを、支柱の上端部から中央線側に向かって円弧状に広がる支柱両側の連結部と、両方の湾曲部と、両方の湾曲部の端部を連結する半楕円弧部とから形成したが、指をプルリングに掛け易くすることができればよく、プルリングの形状は実施形態に限定されない。
また、プルリングのヒンジの反対側部が、蓋体の閉蓋の際に、蓋体のインナーリングの端部の廻動軌跡に干渉しないように、プルリングのヒンジの反対側部が注出筒内周から距離を離すために、プルリングを、底壁の中央線よりヒンジ側に寄せて形成してもよい。
【００２１】
前記実施形態では、抜栓式キャップの構成を、容器の口筒部に打栓されるキャップ本体と、キャップ本体にヒンジを介して一体成形された蓋体とからなるヒンジキャップとしたが、キャップ本体と、蓋体を別体とし、キャップ本体の上部に蓋体を螺着または嵌着により装着する構成としてもよく、また、容器の口筒部に装着されるキャップ本体のみの抜栓式キャップとしてもよい。
さらにまた、注出口を開口する除去部を抜栓するために、指を掛けるプルリングを設けることができればよいので、プルリングの形状を除いて、注出筒の形状、キャップの構成は、上記実施形態の形状に限定されない。
【産業上の利用可能性】
【００２２】
キャップ本体のプルリングの支柱の反対側が、半楕円弧に形成された指掛け部とすることで、プルリングに指を掛ける際に、指を引掛け易くすることができるので、各種の抜栓式キャップとして広く利用できる。
【図面の簡単な説明】
【００２３】
【図１】本発明の抜栓式キャップの説明図で、（ａ）は上面図、（ｂ）は断面立面図である。
【図２】要部の上面説明図である。
【図３】抜栓式キャップの説明図で、（ａ）はプルリングの指掛け時の上面図、（ｂ）は閉蓋時の断面立面図である。
【図４】プルリングの別実施例の説明図で、（ａ）はプルリングの斜視図、（ｂ）は主柱の部分の側面図である。
【符号の説明】
【００２４】
Ａ        キャップ本体
Ｂ        蓋体
Ｃ        ヒンジ
Ｆ        指の周面
ｂ、ｃ、ｄ  距離
１        底壁
２        注出筒
３        上壁
４        蓋係合筒
５、      外筒
６        弱化部
７        除去部
８、８ａ    支柱
９、９ａ    プルリング
１０、１０ａ  連結部
１１、１１ａ  湾曲部
１２、１２ａ  半楕円弧部
１３      指掛け部
１５      頂壁
１６      外周壁
１７      インナーリング
１８      係合部
【図１】
2010105732.tif 000003
【図２】
2010105732.tif 000004
【図３】
2010105732.tif 000005
【図４】
2010105732.tif 000006